(57)【要約】【課題】点検者が事前に点検対象となる消防用設備が施設内のどこに設置されているかを知らない場合でも点検を実施でき、且つ、点検者が虚偽の報告を行うことを防止できる消防用設備の点検システムを提供する。【解決手段】端末と、データベースを含むサーバと、端末から受信したデータを印刷するプリンタとを有する消防用設備の点検システムであって、端末は、画面と、読み取る読み取り手段と、入力手段と、判定手段と、送信手段とを有し、画面は、判定手段により、各属性情報及び各固有番号情報が一致すると判断した場合に、点検結果入力フォームを表示するとともに、入力手段により、点検結果入力フォームへの点検結果の入力が完了した際に消防用設備の点検が完了したことを表示し、送信手段は、消防用設備の点検が完了したことが画面上に表示された場合に、点検結果入力フォームに入力された点検結果を基に作成された報告書データを、プリンタに送信する。【選択図】図１
2017062606.tif 000002
【特許請求の範囲】
【請求項１】
端末と、前記端末と接続する、データベースを含むサーバと、前記端末と接続し、前記端末から受信したデータを印刷するプリンタとを有し、前記データベースは、点検対象となる消防用設備を保有する顧客ごとの、施設内での前記消防用設備の設置場所情報と、前記消防用設備の分類及び機種を示す属性情報と前記消防用設備の固有番号情報とからなる識別情報と、前記消防用設備の分類及び機種に応じた点検項目及び点検結果の入力欄を有する点検結果入力フォームとを蓄積する消防用設備の点検システムであって、
前記端末は、
前記サーバから送信された前記設置場所情報及び前記点検結果入力フォームと、前記消防用設備の点検が完了したか否かの情報とを表示する機能を有する画面と、
前記消防用設備に添付された記録媒体から、前記消防用設備の分類及び機種を示す属性情報と前記消防用設備の固有番号情報とを読み取る読み取り手段と、
前記点検結果入力フォームに前記消防用設備の点検結果を入力する入力手段と、
前記サーバから送信された前記識別情報を構成する属性情報及び固有番号情報と、前記記録媒体から読み取られた属性情報及び固有番号情報とが一致するか否かを判定する判定手段と、
送信手段とを有し、
前記画面は、前記判定手段により、各属性情報及び各固有番号情報が一致すると判断した場合に、前記点検結果入力フォームを表示するとともに、前記入力手段により、前記点検結果入力フォームへの点検結果の入力が完了した際に、前記消防用設備の点検が完了したことを表示し、
前記送信手段は、前記消防用設備の点検が完了したことが前記画面上に表示された場合に、前記点検結果入力フォームに入力された点検結果を基に作成された報告書データを、前記プリンタに送信することを特徴とする消防用設備の点検システム。
【請求項２】
前記データベースは、前記消防用設備が分類及び機種に応じて有する価格の情報である価格情報を更に蓄積し、
前記画面は、前記報告書データを前記プリンタに送信した後で、見積書を印刷するか否かを選択する選択欄を表示し、
前記送信手段は、前記画面上で見積書の印刷が選択された場合には、前記点検結果入力フォームに入力された点検結果及び前記価格情報を基に作成された見積書データを、前記プリンタに送信することを特徴とする請求項１に記載の消防用設備の点検システム。
【発明の詳細な説明】
【技術分野】
【０００１】
本発明は、消防用設備の点検システムに関する。
【背景技術】
【０００２】
消火器、消火栓、火災報知機、誘導灯に代表される消防用設備は、火災が実際に発生した際に、確実に使用できるように又は作動するように、点検業者によって点検される。点検業者は、設備を保有する顧客から依頼を受けると、点検者を顧客の施設に送って、点検対象の消防用設備の点検を行わせる。
特許文献１には、現場点検管理装置と携帯端末とを有する現場点検システムが記載されている。このシステムでは、現場点検管理装置から点検計画を携帯端末にダウンロードし、携帯端末の画面上に機器設備の設置場所を表示する。
【先行技術文献】
【特許文献】
【０００３】
【特許文献１】特開２０１１−１１３１６１号公報
【発明の概要】
【発明が解決しようとする課題】
【０００４】
点検者は、顧客の施設内に複数設置されている点検対象の消防用設備の設置場所を巡り、実際に消防用設備を確認しながら点検を行う。そのため、点検者が、施設のどこに点検対象の消防用設備が設置されているか事前に把握していないと、その場で点検対象の消防用設備を探すことになり、膨大な時間がかかるため、点検の実施が困難になる。また、点検者が、点検のわずらわしさから、実際には、点検をしていないにも関わらず、点検をした旨虚偽の報告を行う場合があった。
この点、特許文献１に記載の現場点検システムでは、携帯端末の画面上に機器設備の設置場所が表示されるため、作業者がこれを見ながら点検を行える点で便利である。しかしながら、特許文献１に記載の現場点検システムは、点検者が、点検をせずに虚偽の報告を行うという事態を防止する機能を有しておらず、なお改善の余地があった。
【０００５】
本発明は、上記の点に鑑みてなされたものであり、点検者が、事前に点検対象となる消防用設備が施設内のどこに設置されているかを知らない場合でも点検を実施することができ、且つ、点検者が、点検をせずに虚偽の報告を行うという事態を防止することのできる消防用設備の点検システムを提供することを目的とする。
【課題を解決するための手段】
【０００６】
本発明の消防用設備の点検システムは、端末と、前記端末と接続する、データベースを含むサーバと、前記端末と接続し、前記端末から受信したデータを印刷するプリンタとを有し、前記データベースは、点検対象となる消防用設備を保有する顧客ごとの、施設内での前記消防用設備の設置場所情報と、前記消防用設備の分類及び機種を示す属性情報と前記消防用設備の固有番号情報とからなる識別情報と、前記消防用設備の分類及び機種に応じた点検項目及び点検結果の入力欄を有する点検結果入力フォームとを蓄積する消防用設備の点検システムであって、前記端末は、前記サーバから送信された前記設置場所情報及び前記点検結果入力フォームと、前記消防用設備の点検が完了したか否かの情報とを表示する機能を有する画面と、前記消防用設備に添付された記録媒体から、前記消防用設備の分類及び機種を示す属性情報と前記消防用設備の固有番号情報とを読み取る読み取り手段と、前記点検結果入力フォームに前記消防用設備の点検結果を入力する入力手段と、前記サーバから送信された前記識別情報を構成する属性情報及び固有番号情報と、前記記録媒体から読み取られた属性情報及び固有番号情報とが一致するか否かを判定する判定手段と、送信手段とを有し、前記画面は、前記判定手段により、各属性情報及び各固有番号情報が一致すると判断した場合に、前記点検結果入力フォームを表示するとともに、前記入力手段により、前記点検結果入力フォームへの点検結果の入力が完了した際に、前記消防用設備の点検が完了したことを表示し、前記送信手段は、前記消防用設備の点検が完了したことが前記画面上に表示された場合に、前記点検結果入力フォームに入力された点検結果を基に作成された報告書データを、前記プリンタに送信することを特徴とする。
【０００７】
また、前記データベースは、前記消防用設備が分類及び機種に応じて有する価格の情報である価格情報を更に蓄積し、前記画面は、前記報告書データを前記プリンタに送信した後で、見積書を印刷するか否かを選択する選択欄を表示し、前記送信手段は、前記画面上で見積書の印刷が選択された場合には、前記点検結果入力フォームに入力された点検結果及び前記価格情報を基に作成された見積書データを、前記プリンタに送信するように構成しても良い。
【発明の効果】
【０００８】
これにより、点検者が、事前に点検対象となる消防用設備が施設内のどこに設置されているかを知らない場合でも点検を実施することができ、且つ、点検者が、点検をせずに虚偽の報告を行うという事態を防止することができる。
【図面の簡単な説明】
【０００９】
【図１】本発明の消防用設備の点検システム１００の概要を示すブロック図。
【図２】本発明の消防用設備の点検システム１００のデータベース３０の顧客データベース４０を構成する顧客情報４１、４２、４３、〜ｎにそれぞれ含まれる点検に関する情報の内容を示す概念図。
【図３】本発明の消防用設備の点検システム１００の端末１０の構成を示す概念図。
【図４】本発明の消防用設備の点検システム１００を用いて行う点検の手順の概要を示すフロー図。
【図５】図４に示す点検の手順の一部をより詳細に示したフロー図。
【図６】図４に示す点検の手順の一部をより詳細に示したフロー図。
【図７】図４に示す点検の手順の一部をより詳細に示したフロー図。
【図８】本発明の消防用設備の点検システム１００の端末１０の画面１１に表示されるログイン画面。
【図９】本発明の消防用設備の点検システム１００の端末１０の画面１１に表示される顧客一覧画面。
【図１０】本発明の消防用設備の点検システム１００の端末１０の画面１１に表示される顧客詳細情報画面。
【図１１】本発明の消防用設備の点検システム１００の端末１０の画面１１に表示される点検対象となる消防用設備の設置場所画面。
【図１２】本発明の消防用設備の点検システム１００の端末１０の画面１１に表示されるバーコードＢＣ読み取り画面。
【図１３】本発明の消防用設備の点検システム１００の端末１０の画面１１に表示される点検画面。
【図１４】本発明の消防用設備の点検システム１００を用いて行う点検において、報告書又は見積書を印刷する際の様子を示す図である。
【発明を実施するための形態】
【００１０】
本発明の一実施例である消防用設備の点検システム（スマート点検システム）１００を図１〜図１４を用いて説明する。
図１を参照すると、本発明の消防用設備Ｏの点検システム１００（スマート点検システム）は、端末１０と、端末１０とインターネットＩを介して接続されたサーバ２０と、端末１０と無線にて接続し、端末１０から送信されたデータを受信して印刷を行うプリンタ６０とを有する。
このうち、サーバ２０は、データベース３０を含んで構成されている。また、サーバ２０は、端末１０から送信される、ユーザＩＤとパスワードの認証を行う機能と、データベース３０に登録された点検結果のデータを基に、表計算ソフトを起動して、報告書データ及び見積書データを作成する機能を有している。
【００１１】
ここで、図２を参照すると、データベース３０は、顧客についての情報が管理される顧客データベース４０を有する。顧客データベース４０は、個々の顧客情報４１、４２、４３、〜ｎから構成される。顧客データベース４０を構成する個々の顧客情報４１、４２、４３、〜ｎは、顧客のＩＤ、名称、住所、電話番号、防火管理者の電話番号、点検業者の担当者名及び点検に関する情報を含んでいる。このうち、点検に関する情報は、設置場所情報５１、識別情報５２、点検結果入力フォーム５３、価格情報５４及び登録データ５５を含んでいる。
【００１２】
設置場所情報５１は、点検対象となる消防用設備Ｏの、顧客の施設内での設置場所を示す情報である。また、識別情報５２は、属性情報５２ａ及び固有番号情報５２ｂから構成される。属性情報５２ａは、消防用設備Ｏの分類（消火器、消火栓、火災報知機、誘導灯などの消防用設備の種類）及び機種を示す情報である。固有番号情報５２ｂは、各消防用設備Ｏが有する固有番号についての情報である。また、点検結果入力フォーム５３は、点検対象となる消防用設備Ｏの分類及び機種に応じた点検項目及び点検結果の入力欄を有する入力フォームである。さらに、価格情報５４は、点検対象となる消防用設備Ｏが、分類及び機種に応じて有する価格の情報である。また、登録データ５５は、消防用設備Ｏの点検結果のデータである。
【００１３】
また、図３を参照すると、端末１０は、画面１１と、読み取り手段１２と、入力手段１３と、判定手段１４と、送受信手段１５とを有する。端末１０は、例えば、アプリケーションソフトウェアがインストールされたスマートフォンにより構成することができる。
このうち、画面１１は、液晶ディスプレイにより構成される。そして、点検者がスマート点検システム１００にログインするためのログイン画面（図８）、顧客データベース４０に蓄積されている顧客の名称を示す顧客一覧画面（図９）、顧客一覧画面により選択された顧客のＩＤ、名称、住所等を示す顧客詳細情報画面（図１０）、消防用設備Ｏの設置場所情報画面（図１１）、バーコード読み取り画面（図１２）、点検画面（図１３）、消防用設備Ｏの異常箇所を撮影するための写真撮影画面（図示しない）、プリンタ６０への報告書印刷実行画面（図示しない）、見積書印刷選択画面（図示しない）及びプリンタ６０への見積書印刷実行画面（図示しない）を表示する。
【００１４】
ログイン画面（図８）には、ユーザＩＤとパスワードの入力欄が表示される。また、顧客詳細情報画面（図１０）には、顧客に関する情報（顧客のＩＤ、名称、住所等）の他、設置場所情報画面（図１１）へ移動するための点検開始ボタンＴが表示される。
また、（消防用設備Ｏの）設置場所情報画面（図１１）には、点検対象となる消防用設備Ｏの施設内での設置場所情報５１、消防用設備Ｏの機種情報、消防用設備Ｏの点検が完了したか否かについての情報（状態欄）及び消防用設備Ｏの写真の有無についての情報が表示される。加えて、設置場所情報画面（図１１）には、バーコード読み取り画面（図１２）に移動するためのＢＡＲボタンｂａｒ及びサーバ２０に報告書の印刷指示を出すための報告書印刷ボタンＰが表示される。
【００１５】
さらに、点検画面（図１３）には、点検結果入力フォーム５３が表示される。図１３の点検画面では、一例として、設置場所、設置間隔、適応性、保持措置及び備考欄が設けられた点検結果入力フォームが表示されている。加えて、点検画面（図１３）には、データベース３０に、点検結果入力フォームに入力した点検結果のデータを登録するための登録ボタンＲ、写真撮影画面に移るための写真ボタンｐｈが表示される。
【００１６】
さらに、（プリンタ６０への）報告書印刷実行画面には、プリンタ６０へ報告書を印刷する指示を出す印刷実行ボタンが表示される。また、見積書印刷選択画面には、見積書の印刷処理を実行するか否かを選択する選択欄（見積書の印刷処理を実行しますか？「はい」「いいえ」）が表示される。さらに、プリンタ６０への見積書印刷実行画面には、プリンタ６０へ見積書を印刷する指示を出す印刷実行ボタンが表示される。
【００１７】
読み取り手段１２は、点検対象となる消防用設備Ｏごとに添付されているバーコードＢＣから、情報を読み取るものである。すなわち、読み取り手段１２は、バーコードＢＣから、消防用設備Ｏの分類（消火器、消火栓、火災報知機、誘導灯などの消防用設備の種類）及び機種を示す情報である属性情報と、各消防用設備Ｏに個別に割り振られる固有の番号についての情報である固有番号情報とを読み取る。
【００１８】
読み取り手段１２は、カメラを含んで構成されており、カメラでバーコードＢＣを撮影することにより、バーコードＢＣに記録された各情報を読み取る。カメラでバーコードＢＣを撮影する際、画面１１には、バーコード読み取り画面（図１２）が表示される。このバーコード読み取り画面（図１２）は、カメラで撮影した画像を表示するものであり、点検者はこれを見ながらバーコードＢＣを撮影する。
この読み取り手段１２に含まれるカメラは、消防用設備Ｏの異常箇所を記録する撮影手段としての役割も有している。
入力手段１３は、画面１１上に設けられたタッチパネルにより構成される。入力手段１３は、画面１１に表示される、ログイン画面（図８）でのパスワード及びユーザＩＤの入力、点検画面（図１３）での点検結果入力フォームへの入力に利用される。また、その他の画面に表示されるボタンの操作など端末１０の操作全般に利用される。
【００１９】
判定手段１４は、バーコードＢＣから読み取られた属性情報及び固有番号情報と、サーバ２０から送信された属性情報５２ａ及び固有番号情報５２ｂが一致するか否かを判定する。ここで、判定手段１４により、各情報が一致すると判断された場合には、画面１１に点検画面（図１３）が表示される。そして、点検画面（図１３）において、点検者が点検結果入力フォーム５３に点検結果を入力し、点検結果のデータをデータベース３０に登録すると、再度消防用設備Ｏの設置場所情報画面（図１１）が表示される。再度表示される設置場所情報画面（図１１）では、消防用設備Ｏの点検が完了した旨が表示される（状態欄の「未」が「済」に変更される）。
【００２０】
送受信手段１５は、送受信アンテナにより構成されている。そして、サーバ２０とデータの送受信を行うとともに、プリンタ５０へデータを送信する。すなわち、送受信手段１２は、ログイン画面（図８）でユーザＩＤ及びパスワードが入力されると、これをサーバ２０へ送信する。また、サーバ２０でパスワード認証が行われると、複数の顧客情報４１、４２、４３、〜ｎ（名称情報のみ）を受信する。さらに、点検者が、顧客一覧画面（図９）で特定の顧客を選択すると、特定の顧客情報４２（名称情報のみ）が選択されたことを示す信号をサーバ２０へ送信する。また、サーバ２０から名称情報以外の情報を含む特定の顧客情報４２を受信する。さらに、点検画面（図１３）にて登録ボタンＲが押されると、点検結果のデータ（写真データ含む）をサーバ２０へ送信する。また、消防用設備Ｏの設置場所情報画面（図１１）で、報告書印刷ボタンＰが押されると、サーバ２０へ報告書データ作成指示を送信する。また、サーバ２０により作成された報告書データを受信する。さらに、プリンタ６０への報告書印刷実行画面にて、印刷実行ボタンが押されると、プリンタ６０へ印刷指示及び報告書データを送信する。
【００２１】
また、送受信手段１５は、見積書印刷選択画面に表示される選択欄のうち「はい」を選択すると、サーバ２０へ見積書データ作成指示を送信する。さらに、サーバ２０により作成された見積書データを受信する。また、プリンタ６０への見積書印刷実行画面で印刷実行ボタンがおされると、見積書の印刷指示及び見積書データをプリンタ６０へ送信する。
【００２２】
次に、本発明の一実施例であるスマート点検システム１００を用いた点検の手順を説明する。
まず、図４を用いて、点検の手順の概要を説明する。
点検者は、まず、端末１０のアプリケーションソフトを起動する（ステップＳ１）。すると、端末１０の画面１１にログイン画面（図８）が表示される（ステップＳ２）。そこで、点検者は、タッチパネルにより構成される入力手段１３を用いて、ユーザＩＤとパスワードの入力を行う（ステップＳ３）。入力されたユーザＩＤとパスワードは、送受信手段１５によりサーバ２０へ送信される。すると、サーバ２０は、ユーザＩＤとパスワードの認証を行う（ステップＳ４）。ここで、ユーザＩＤとパスワードが正しければ、サーバ２０は、データベース３０から顧客データベース４０を構成する全ての顧客情報４１、４２、４３、〜ｎ（名称情報のみ）を読み出し、端末１０に送信する。次いで、端末１０の送受信手段１５により、全ての顧客情報４１、４２、４３、〜ｎ（名称情報のみ）が受信されると、画面１１には、顧客一覧画面（図９）が表示される（ステップＳ６）。一方、サーバ２０でユーザＩＤ及びパスワードが正しくないと判断した場合は、端末１０に信号を送信し、パスワードの再入力を求める（ステップＳ５）。
【００２３】
ステップＳ６において、顧客一覧画面（図９）が表示されると、点検者は、全ての顧客情報４１、４２、４３、〜ｎ（名称情報のみ）の中から、点検する顧客の顧客情報を選択する（一例として、顧客情報４２を選択）。すると、送受信手段１５が、サーバ２０へ顧客情報４２（名称情報）が選択されたことを示す信号を送信する。サーバ２０は、信号を受信すると、データベース３０の顧客データベース４０から、顧客情報４２（名称情報以外も含む）を読み出し、端末１０に送信する。そして、端末１０の送受信手段１５により、顧客情報４２（名称情報以外も含む）を受信すると、画面１１には、顧客詳細情報画面（図１０）が表示される（ステップＳ７）。ここで、点検者が点検開始ボタンＴを押すと（ステップＳ８）、画面１１に設置場所情報画面（図１１）が表示される。
【００２４】
次いで、点検者は、端末１０を用いて、消防用設備Ｏの点検を行う（ステップＳ９）。そして、顧客の施設内の全ての消防用設備Ｏの点検が終わると（ステップＳ１０のＹＥＳ）、点検者は端末１０を操作して、プリンタ６０に報告書を印刷させる（ステップＳ１１）。一方、全ての消防用設備Ｏの点検が終わっていない場合（ステップＳ１０のＮＯ）は、点検者は、消防用設備Ｏの点検を続ける。その後、点検者は端末１０を操作し、見積書を印刷するかを選択する（ステップＳ１２）。見積書を印刷することを選択した場合は、プリンタ６０に見積書を印刷させ（ステップＳ１３）、点検を終了する。一方、見積書を印刷しない場合には、そのまま点検を終了する。
【００２５】
ここで、図４のステップＳ８以降の手順をより詳細に説明する。
図５を参照すると、点検者が点検開始ボタンＴを押すと、端末１０は画面１１に設置場所情報画面（図１１）を表示する。そして、点検者は、設置場所情報画面（図１１）に表示される消防用設備Ｏの設置場所情報５１を見て、点検しようとする消防用設備Ｏの設置場所へと向かう。
次いで、点検者は、設置場所情報画面（図１１）が表示された状態で、入力手段１３を利用して、ＢＡＲボタンｂａｒを押す。すると、端末１０は、読み取り手段１２に含まれるカメラを起動するとともに、画面１１にバーコード読み取り画面（図１２）を表示させる。ここで、点検者は、バーコード読み取り画面（図１２）を見ながら、カメラで消防用設備ＯのバーコードＢＣを撮影する。これにより、読み取り手段１２により、バーコードＢＣから、当該消防用設備Ｏの属性情報及び固有番号情報が読み取られる。
【００２６】
すると、判定手段１４により、バーコードＢＣから読み取られた属性情報及び固有番号情報と、サーバ２０から送信された消防用設備Ｏの属性情報５２ａ及び固有番号情報５２ｂとが比較され、両者が一致するか否かが判定される。この判定の結果、両者が一致すると判定されて初めて、画面１１に点検画面（図１３）（点検結果入力フォーム５３）が表示される。この点検結果入力フォーム５３には、点検者が点検しようとしている消防用設備Ｏの分類及び機種に応じた点検項目及び結果入力欄が設けられている。
そして、点検者は、消防用設備Ｏを実際に点検し、入力手段１３を用いて、点検画面（図１３）の点検結果入力フォーム５３に、点検結果を入力する。この際、写真ボタンｐｈを押し、読み取り手段１２に含まれるカメラを起動して、消防用設備Ｏの異常箇所を撮影することもできる。
【００２７】
点検結果を入力した後、点検者は、点検画面（図１３）の登録ボタンＲを押す。これにより、点検結果入力フォーム５３に入力された点検結果のデータが送受信手段１５によりサーバ２０に送信され（写真を撮影した場合はそのデータも送信される）る。そして、データベース３０の顧客データベース４０に（顧客情報４２に）、登録データ５５として保存される。同時に、端末１０では、画面１１に再度設置場所情報画面（図１１）を表示するが、この際、点検を行った消防用設備Ｏの状態欄を「未」から「済」に変更する。これにより、点検者は、複数の消防用設備Ｏのうち、どの消防用設備の点検が完了しているのかを確認することが出来る。
そして、点検者は、同様の手順で、点検の済んでいない消防用設備Ｏの点検を行う。全ての消防用設備Ｏの点検が終わると、報告書の印刷手順に移る。
【００２８】
図６（及び図１４）を参照すると、まず、点検者は、設置場所情報画面（図１１）の報告書印刷ボタンＰを押す。すると、端末１０は、送受信手段１５から報告書データ作成指示をサーバ２０に送信する。ここで、サーバ２０は、表計算ソフトを起動するとともに、データベース３０の顧客データベース４０に含まれる登録データ５５を読み出しこれを挿入して、報告書データの元データを作成する。そして、この元データをＰＤＦ形式に変換して、報告書データ（ＰＤＦ形式）を作成する。そして、サーバ２０は、この報告書データを端末１０に送信する。
端末１０は、送受信手段１５によりこの報告書データを受信すると、画面１１に、報告書印刷実行画面を表示させる。ここで、点検者が報告書印刷実行画面に表示される印刷実行ボタンを押すと、端末１０は、報告書印刷指示及び報告書データをプリンタ６０へ送信する。これにより、プリンタ６０から報告書が印刷される。
報告書が印刷されると、見積書の印刷手順に移る。
【００２９】
図７（及び図１４）を参照すると、まず、端末１０が、画面１１に見積書印刷選択画面を表示する。この見積書印刷選択画面には、見積書の印刷処理を実行するか否かを選択する選択欄（見積書の印刷処理を実行しますか？「はい」「いいえ」）が表示される。ここで点検者は、見積書の印刷が必要になる場合（消防用設備Ｏに異常があり、交換が必要な場合）には「はい」を、見積書の印刷が必要ない場合（消防用設備Ｏに異常が無い場合）には「いいえ」を選択する。
【００３０】
ここで、「いいえ」を選択すれば、見積書の印刷処理は行われず、スマート点検システム１００を用いた点検は終了する。
一方、点検者が「はい」を選択した場合、端末１０は、送受信手段１５から見積書データ作成指示をサーバ２０に送信する。すると、サーバ２０は、表計算ソフトを起動するとともに、データベース３０の顧客データベース４０に含まれる登録データ５５及び価格情報５４を読み出しこれを挿入して、見積書データの元データを作成する。そして、この元データをＰＤＦ形式に変換して、見積書データ（ＰＤＦ形式）を作成する。そして、サーバ２０は、この見積書データを端末１０に送信する。
【００３１】
端末１０は、送受信手段１５によりこの見積書データを受信すると、画面１１に、見積書印刷実行画面を表示させる。ここで、点検者が見積書印刷実行画面に表示される印刷実行ボタンを押すと、端末１０は、見積書印刷指示及び見積書データをプリンタ６０へ送信する。これにより、プリンタ６０から見積書が印刷される。そして、スマート点検システム１００を用いた点検が終了する。
【００３２】
このように、本実施例のスマート点検システム１００では、端末１０の画面１１に、顧客の施設内での消防用設備Ｏの設置場所情報５１が表示される。そのため、点検者が事前に点検対象となる消防用設備が施設内のどこに設置されているかを知らない場合でも、点検者は端末１０の画面１１に表示される設置場所情報５１を参照して、消防用設備Ｏの設置場所に行くことができる。それゆえ、消防用設備Ｏの捜索に膨大な時間がかかることはなく、支障なく点検を実施することが出来る。
【００３３】
また、本実施例のスマート点検システム１００では、点検者が、実際に消防用設備Ｏの設置場所に行き、消防用設備Ｏに添付されたバーコードＢＣを読み取らなければ、点検画面（図１３）（点検結果入力フォーム５３）が表示されず、点検結果の入力ができないようになっている。そのため、点検者が消防用設備Ｏの点検をせずに虚偽の報告を行う（虚偽の報告書を作成する）という事態を防止することができる。
【００３４】
さらに、本実施例のスマート点検システム１００では、点検者が、端末１０を操作して携帯するプリンタ６０で印刷を行うことで、顧客先で報告書を印刷し、その場で直ぐに顧客に渡すことが出来るため、点検者及び顧客の双方にとっての利便性が向上する。
また、消防用設備Ｏに異常箇所が有った場合には、点検者が、顧客先で見積書を印刷し、その場で直ぐに顧客に渡すことが出来るため、点検者及び顧客の双方にとっての利便性が向上する。
【００３５】
なお、本発明の一実施例であるスマート点検システム１００では、消防用設備ＯにバーコードＢＣを添付し、バーコードＢＣに記録された属性情報と固有番号情報を読み取り手段１２で読み取っているが、バーコードＢＣの代わりにＩＣタグを消防用設備に添付し、ＩＣタグに記憶された属性情報と固有番号情報を読み取り手段により読み取るようにしても良い。
【００３６】
以上に本発明の一実施例であるスマート点検システム１００を説明したが、本発明は、上記の実施例に限定されることなく、本発明の技術思想を逸脱しない範囲で、多様に変形して実施することが出来る。
【符号の説明】
【００３７】
１００    消防用設備の点検システム（スマート点検システム）
１０    端末
１１    画面
１２    読み取り手段
１３    入力手段
１４    判定手段
１５    送受信手段
２０    サーバ
３０    データベース
４０    顧客データベース
４１、４２、４３、〜ｎ    顧客情報
５１    設置場所情報
５２    識別情報
５２ａ  属性情報
５２ｂ  固有番号情報
５３    点検結果入力フォーム
５４    価格情報
５５    登録データ
６０    プリンタ
Ｉ    インターネット
Ｏ    消防用設備
ＢＣ    バーコード
【図１】
2017062606.tif 000003
【図２】
2017062606.tif 000004
【図３】
2017062606.tif 000005
【図４】
2017062606.tif 000006
【図５】
2017062606.tif 000007
【図６】
2017062606.tif 000008
【図７】
2017062606.tif 000009
【図８】
2017062606.tif 000010
【図９】
2017062606.tif 000011
【図１０】
2017062606.tif 000012
【図１１】
2017062606.tif 000013
【図１２】
2017062606.tif 000014
【図１３】
2017062606.tif 000015
【図１４】
2017062606.tif 000016